(57)【要約】      （修正有）【課題】間接照明用の照明装置において、埃の蓄積を抑制するとともに、効率よく照射面に光を照射できる技術を提供する。【解決手段】この照明装置１Ａは、光源１２Ａと、光源１２Ａを内部に収容する内部空間を有する筐体１１Ａとを備える。筐体１１Ａを構成する外壁の少なくとも一部は、光透過性を有する拡散板１５Ａで構成される。光源１２Ａは、光源１２Ａの光軸が拡散板１５Ａを斜めに通るよう配されている。光源１２Ａが収容される空間の開口を拡散板１５Ａで覆うことにより、光源１２Ａの周囲に埃が溜まるのが抑制される。一方、拡散板１５Ａが光源１２Ａから照射される光を拡散するため、照射面（壁面）における光の照射範囲を広げることができる。また、光源１２Ａの光軸１２０Ａを拡散板１５Ａや照射面に向けることができるため、照射面における光の伸びが良くなる。したがって、照明効率が向上する。【選択図】図４
2017152287.tif 000002
【特許請求の範囲】
【請求項１】
間接照明用の照明装置であって、
光源と、
前記光源を内部に収容する内部空間を有する筐体と、
を備え、
前記筐体を構成する外壁の少なくとも一部が、光透過性を有する拡散板で構成され、
前記光源は、前記光源の光軸が前記拡散板を斜めに通るよう配されている、照明装置。
【請求項２】
前記カバーのヘーズ値は、８０％以上であり、
前記拡散板は、前記光源から出射される光が直接または間接に入射された場合に、前記入射された角度と異なる角度に拡散する、
請求項１記載の照明装置。
【請求項３】
前記照明装置は、自装置外部の壁面に光を照射し、
前記拡散板は、前記壁面と対向して配置され、
前記光軸は、前記光源から斜め上方または斜め下方へ向けて伸びる、
請求項１または請求項２記載の照明装置。
【請求項４】
前記照明装置は、自装置外部の天井に光を照射し、
前記拡散板は、前記天井に対して略垂直に配置され、
前記光軸は、前記光源から斜め上方へ向けて伸びる、
請求項１または請求項２記載の照明装置。
【請求項５】
前記照明装置は、
前記内部空間内に配置される反射板
をさらに有し、
前記反射板は、前記光源の前記光軸に対して略平行に配置される、
請求項１ないし請求項４のいずれか１項記載の照明装置。
【発明の詳細な説明】
【技術分野】
【０００１】
本発明は、照明装置に関する。
【背景技術】
【０００２】
従来、照明方法として、光源からの光を天井や壁面等の反射拡散面に照射し、その反射光により間接的に照明する間接照明が知られている。間接照明の代表的な照明方法には、天井を反射拡散面とするコーブ照明や、壁面を反射拡散面とするコーニス照明がある。従来のコーブ照明の照明方法は、例えば、特許文献１に示されている（特許文献１の図１参照）。
【０００３】
従来の間接照明の例を、図９および図１０に示す。図９は、従来のコーニス照明用の照明装置１Ｘの設置例を示した図である。図９の例では、天井９１Ｘに設けられた凹部に、造作８０Ｘが設けられている。造作とは、照明装置を載置するための構造物をいう。造作８０Ｘは、天井９１Ｘに設けられた凹部の底面（天井面９１２Ｘ）と間隔を空けて略水平に延びる載置部８１Ｘと、載置部８１Ｘの端部から上方へ延びる遮光部８２Ｘとを有する。載置部８１Ｘ上には、ＬＥＤ光源等を備えた照明装置１Ｘが配置されている。また、遮光部８２Ｘは、照射対象である壁面９２Ｘと所定の間隔を空けて対向する。これにより、照明装置１Ｘから照射される光が造作８０Ｘ内で反射し、その反射光が壁面９２Ｘを照射する。図９中には、照明装置外の空間の各位置における光度の強さが、グレースケールにて概念的に示されている。
【０００４】
図１０は、従来のコーブ照明用の照明装置１Ｙの設置例を示した図である。図１０の例では、天井９１Ｙと間隔を空けて略水平に延びる載置部８１Ｙと、載置部８１Ｙの端部から上方へ延びる遮光部８２Ｙとを有する造作８０Ｙが設けられている。また、ＬＥＤ光源等の光源を備えた照明装置１Ｙが、造作８０Ｙの載置部８１Ｙ上に配置されている。これにより、照明装置１Ｙから照射される光が直接天井９１Ｙを照射するとともに、造作８０Ｙ内で反射した反射光が天井９１Ｙを照射する。図１０中には、照明装置外の空間の各位置における光度の強さが、グレースケールにて概念的に示されている。
【先行技術文献】
【特許文献】
【０００５】
【特許文献１】特開２０１４−１４５１６４号公報
【発明の概要】
【発明が解決しようとする課題】
【０００６】
図９および図１０に示すように、従来の照明装置１Ｘおよび１Ｙは、造作８０Ｘ，８０Ｙ上に載置されているため、造作８０Ｘ，８０Ｙ上に埃が溜まるという問題がある。
【０００７】
また、従来の照明装置１Ｘ，１Ｙでは、光軸の方向が鉛直上向きである。このため、照明装置１Ｘでは、光軸方向に出射される直接光が、照射対象である壁面９２Ｘに照射されない。したがって、照明効率は低い。また、照明装置１Ｙでは、光軸方向に出射される直接光が、照射対象である天井９１Ｙのうち、照明装置１Ｙの近傍のみに照射される。したがって、照明効率は低い。
【０００８】
本発明は、このような事情に鑑みなされたものであり、埃の蓄積を抑制するとともに、効率よく照射面に光を照射できる技術を提供することを目的とする。
【課題を解決するための手段】
【０００９】
上記課題を解決するため、本願の第１発明は、間接照明用の照明装置であって、光源と、前記光源を内部に収容する内部空間を有する筐体と、を備え、前記筐体を構成する外壁の少なくとも一部が、光透過性を有する拡散板で構成され、前記光源は、前記光源の光軸が前記拡散板を斜めに通るよう配されている。
【００１０】
本願の第２発明は、第１発明の照明装置であって、前記カバーのヘーズ値は、８０％以上であり、前記拡散板は、前記光源から出射される光が直接または間接に入射された場合に、前記入射された角度と異なる角度に拡散する。
【００１１】
本願の第３発明は、第１発明または第２発明の照明装置であって、前記照明装置は、自装置外部の壁面に光を照射し、前記拡散板は、前記壁面と対向して配置され、前記光軸は、前記光源から斜め上方または斜め下方へ向けて伸びる。
【００１２】
本願の第４発明は、第１発明または第２発明の照明装置であって、前記照明装置は、自装置外部の天井に光を照射し、前記拡散板は、前記天井に対して略垂直に配置され、前記光軸は、前記光源から斜め上方へ向けて伸びる。
【００１３】
本願の第５発明は、第１発明ないし第４発明のいずれかの照明装置であって、前記照明装置は、前記内部空間内に配置される反射板をさらに有し、前記反射板は、前記光源の前記光軸に対して略平行に配置される。
【発明の効果】
【００１４】
本願の第１発明〜第５発明によれば、光源の周囲に埃が溜まるのが抑制される。また、カバーに拡散板を用いることにより、光源からの光が拡散されるため、光源の光軸をカバーおよび照射面に向けることができる。これにより、効率よく照射面を照射でき、照射面における光の伸びが良くなる。
【００１５】
特に、本願の第２発明によれば、ＬＥＤ光源から照射される光をカバーが効率よく拡散する。したがって、照射面における光の伸びがさらに良くなる。また、複数の光源が水平方向に並ぶ場合であっても、照射装置から照射面へ向かう光の水平方向におけるムラを抑制できる。
【図面の簡単な説明】
【００１６】
【図１】第１実施形態に係る照明装置の設置例を示した断面図である。
【図２】第１実施形態に係る照明装置の正面斜視図である。
【図３】第１実施形態に係る照明装置の背面斜視図である。
【図４】第１実施形態に係る照明装置の断面図である。
【図５】第１実施形態に係る照明装置の正面図である。
【図６】第２実施形態に係る照明装置の設置例を示した断面図である。
【図７】第２実施形態に係る照明装置の断面図である。
【図８】第２実施形態に係る照明装置の側面図である。
【図９】従来のコーニス照明用の照明装置の設置例を示した断面図である。
【図１０】従来のコーブ照明用の照明装置の設置例を示した断面図である。
【図１１】変形例に係る照明装置の設置例を示した断面図である。
【図１２】変形例に係る照明装置の設置例を示した断面図である。
【図１３】変形例に係る照明装置の設置例を示した断面図である。
【発明を実施するための形態】
【００１７】
以下、本発明の好適な実施形態について、図面を参照しつつ説明する。
【００１８】
＜１．第１実施形態／コーニス照明＞
図１は、本発明の第１実施形態に係る照明装置１Ａの設置例を示した断面図である。照明装置１Ａは、コーニス照明用の照明装置である。図１に示すように、天井９１Ａには、壁面９２Ａとの境目部分に天井凹部９１１Ａが設けられている。天井凹部９１１Ａには、造作８０Ａが設けられる。造作８０Ａは、天井凹部９１１Ａの底である天井面９１２Ａと間隔を空けて略水平に伸びる。造作８０Ａの壁面９２Ａ側の端部は、壁面９２Ａと所定の間隔を空けて配置される。なお、図９および図１０に示した従来の照明装置１Ｘおよび１Ｙを収容する造作８０Ｘ，８０Ｙは遮光部８２Ｘ，８２Ｙを有していたが、この造作８０Ａには遮光部を有する必要はない。照明装置１Ａは、天井面９１２Ａと造作８０Ａとに挟まれた造作空間８００Ａ内に収容される。
【００１９】
照明装置１Ａは、壁面９２Ａを上方から下方へ向かって照射する。図１中には、照明装置１Ａが点灯状態になったときの、照明装置１Ａ外の空間の各位置における明るさの一例を、グレースケールにて概念的に示している。
【００２０】
図２は、照明装置１Ａの正面斜視図である。図３は、照明装置１Ａの背面斜視図である。図４は、照明装置１Ａの断面図である。図５は、照明装置１Ａの正面図である。図１および図４は、図５中に示したＡ−Ａ’断面における矢視断面図である。図５は、図４中に示したＢ−Ｂ’断面から見た正面図である。
【００２１】
図２および図３に示すように、照明装置１Ａは、外面的には筐体１１Ａの開口部分にカバー１５Ａが嵌め込まれている。また、照明装置１Ａは、略直方体の箱状体から板状部材が突出した外形を呈する。また、図５に示すように、照明装置１Ａは、その長手方向が天井９１Ａに沿う水平方向となるように配置される。図５では、複数の照明装置１Ａが長手方向に並んで配置されている様子を示している。
【００２２】
図４に示すように、照明装置１Ａは、筐体１１Ａ、複数のＬＥＤ光源１２Ａ、反射板１３Ａおよび電源１４Ａを有する。以下では、照明装置１Ａに関する方向について、照射対象とする壁面９２Ａ側を前方向、その反対側を後方向として説明する。
【００２３】
筐体１１Ａは、複数のＬＥＤ光源１２Ａを内部に収容する。筐体１１Ａは、ＬＥＤ光源１２Ａを内部に収容する内部空間２０Ａを有する。本実施形態の筐体１１Ａは、第１部材１１１Ａ、第２部材１１２Ａおよびカバー１５Ａにより構成される。第１部材１１１Ａおよび第２部材１１２Ａは、筐体１１Ａの本体部を構成する。第１部材１１Ａおよび第２部材１１２Ａは、筐体１１Ａの上面、下面、両側面および背面の各外壁を構成する部材である。
【００２４】
第１部材１１１Ａは、上側カバー保持部２１Ａ、下側カバー保持部２２Ａ、光源配置部２３Ａ、反射板配置部２４Ａ、側壁部２５Ａおよび上板部２６Ａを有する。
【００２５】
上側カバー保持部２１Ａは、カバー１５Ａの上端部を保持する溝部を有する。下側カバー保持部２２Ａは、カバー１５Ａの下端部を保持する溝部を有する。
【００２６】
光源配置部２３Ａは、上側カバー保持部２１Ａから後方かつ下方へ向けて、斜めに拡がる平板状の部位である。反射板配置部２４Ａは、下側カバー保持部２２Ａから後方かつ上方へ向けて、斜めに拡がる平板状の部位である。
【００２７】
側壁部２５Ａは、照明装置１Ａの両側面の外壁を構成する。上板部２６Ａは、上側カバー保持部２１Ａから上方に延びる平板状の部位である。上板部２６Ａは、照明装置１Ａと天井９１Ａとを固定するための固定部材１１３Ａに固定される。
【００２８】
第２部材１１２Ａは、第１部材１１１Ａの後方を覆い、照明装置１Ａの背面の外壁を構成する部材である。以下では、図４に示す、第１部材１１１Ａの後方かつ第２部材１１２Ａの前方の空間を、後部空間１１０Ａと称する。
【００２９】
固定部材１１３Ａは、照明装置１Ａを、天井９１Ａに固定するための部材である。固定部材１１３Ａは、図４に示すように断面がＬ字状の、長手方向に延びる部材である。固定部材１１３Ａは、天井９１Ａに沿って略水平に配置される第１固定部２７Ａと、第１固定部２７Ａの前端部から下方へ延びる第２固定部２８Ａとを有する。第１固定部２７Ａは、ボルト等の固定具により、天井９１Ａに固定される。第２固定部２８Ａは、上板部２６Ａの後面に沿って配置され、ねじ止め等により上板部２６Ａと互いに固定される。
【００３０】
ＬＥＤ光源１２Ａはそれぞれ、内部空間２０Ａ内の、光源配置部２３Ａの下面に配置される。具体的には、光源配置部２３Ａの下面に沿って基板１２１Ａが配置されている。複数のＬＥＤ光源１２Ａは、基板１２１Ａ上に、照明装置１Ａの長手方向に沿って、水平方向に略等間隔に配置される。本実施形態では、３ｍｍ角の略正方形状のＬＥＤ光源が１１ｍｍ間隔で配置されている。
【００３１】
また、各ＬＥＤ光源１２Ａは、照明装置１Ａ内において、その光軸１２０Ａが、ＬＥＤ光源１２Ａからカバー１５Ａを通過し、壁面９２Ａに向かって斜め下方向へと向けて伸びる位置および向きに配置される。このように構成することで、照射対象である壁面９２Ａにおける光の伸びが良くなる。したがって、照明効率が向上する。
【００３２】
反射板１３Ａは、内部空間２０Ａ内の、反射板配置部２４Ａの前面（上面）に沿って配置される。ＬＥＤ光源１２Ａの光の拡散角度は、約１２０°である。すなわち、ＬＥＤ光源１２Ａから照射される光は、光軸１２０Ａから約６０°の範囲まで拡がる。反射板１３Ａは、ＬＥＤ光源１２Ａから照射された光の一部を、カバー１５Ａ側へ向けて反射する。また、反射板１３Ａは、ＬＥＤ光源１２Ａから照射された後に内部空間２０Ａ内で反射された光の一部をさらに反射する。
【００３３】
反射板１３Ａは、平板状の部材であり、複数のＬＥＤ光源１２Ａの光軸１２０Ａに対して略平行に配置される。これにより、ＬＥＤ光源１２Ａから照射された光を、カバー１５Ａ側へ向けて効率良く反射できる。また、照射対象である壁面９２Ａにおける光の伸びがさらに良くなる。
【００３４】
電源１４Ａは、反射板配置部２４Ａの後面に沿って、後部空間１１０Ａ内に配置される。電源１４Ａは、基板１２１Ａを介して複数のＬＥＤ光源１２Ａと電気的に接続される。照明装置１Ａの駆動時には、電源１４Ａから基板１２１Ａを介して複数のＬＥＤ光源１２Ａへ電力が供給される。これにより、各ＬＥＤ光源１２Ａから光が照射される。
【００３５】
カバー１５Ａは、光透過性を有し、かつ、透過光を拡散する拡散板である。カバー１５Ａは、第１部材１１１Ａおよび第２部材１１２Ａにより構成される筐体１１Ａの本体部の前方向の開口部分に嵌め込まれる。これにより、カバー１５Ａは、筐体１１Ａの前面の外壁を構成する。ここで、照明装置１Ａの配置は、カバー１５Ａの前面が、略鉛直に、壁面９２Ａと間隔を空けて対向した位置となるのが望ましい。
【００３６】
以上のように構成した照明装置１Ａでは、ＬＥＤ光源１２Ａが配置される空間が、カバー１５Ａで覆われることによって、閉空間となる。また、照明装置１Ａが、造作空間８００Ａに収容される。これにより、ＬＥＤ光源１２Ａの周囲や、造作８０Ａ上に埃が溜まるのが抑制される。
【００３７】
カバー１５Ａに拡散板を用いることにより、ＬＥＤ光源１２Ａから照射された光が、カバー１５Ａにより拡散される。また、ＬＥＤ光源１２Ａの光軸１２０Ａは、カバー１５Ａを通って、照射面である壁面９２Ａに達する方向を向いている。その結果、ＬＥＤ光源１２Ａから出射される光のうち、最も強い光である光軸方向の光が、カバー１５Ａ以外の部材に当たって弱まることなく、壁面９２Ａに到達する。このため、効率よく壁面９２Ａに光を照射でき、かつ、壁面９２Ａにおける光の伸びが良くなる。また、カバー１５Ａに当たった光は、天井９１Ａ方向など、光軸と異なる向きにも拡散されるので、光軸１２０Ａの向きと異なる方向についても照明することができる。また、在室者が照明装置１Ａから照射される光を直接目視した場合であっても、眩しく感じるのを抑制できる。
【００３８】
照明装置１Ａでは、カバー１５Ａの前面の法線ベクトルが水平前方向きである。ここで、仮にカバー１５Ａの前面の法線ベクトルが鉛直上向きであるような場合には、カバー１５Ａ上に埃が溜まる虞がある。本実施形態では、カバー１５Ａの前面の法線ベクトルが鉛直上向きでないことにより、カバー１５Ａ上に埃が溜まるのが抑制されている。
【００３９】
また、カバー１５Ａの前面の法線ベクトルは、斜め下向きであってもよい。この場合、カバー１５Ａ上に埃が溜まるのをさらに抑制できる。ただし、カバー１５Ａの前面の法線ベクトルが斜め下向きである場合、法線ベクトルが水平向きである場合と比べて、在室者により照明装置１Ａから照射される光が直接目視されやすくなる場合があるので、これを考慮して照明装置１Ａを配置するのが望ましい。
【００４０】
また、照明装置１Ａにおける、カバー１５Ａの拡散性を示すヘーズ値は、約９６％である。このように、カバー１５Ａのヘーズ値は、８０％以上であることが好ましい。カバー１５Ａとして拡散性の高い拡散板を用いることにより、ＬＥＤ光源１２Ａから照射される光を、カバー１５Ａが効率よく拡散する。したがって、照射対象である壁面９２Ａにおける光の照射範囲を広げることができる。その結果、照明効率が向上する。
【００４１】
また、カバー１５Ａのヘーズ値が低い場合、複数のＬＥＤ光源１２Ａが間隔を空けて配置されていることにより、照明装置１Ａから壁面９２Ａへ向かう光の水平方向における光度のムラが生じる。カバー１５Ａとして拡散性の高い拡散板を用いることにより、照明装置１Ａから壁面９２Ａへ向かう光の水平方向における光度のムラを抑制できる。また、ＬＥＤのいわゆる「つぶつぶ感」を抑えた均一な面状発光を実現することができる。
【００４２】
なお、カバー１５Ａのヘーズ値は、９０％以上であることが、より好ましい。カバー１５Ａとしてさらに拡散性の高い拡散板を用いることにより、照射対象である壁面９２Ａにおける光の照射範囲をさらに広げることができる。したがって、照明効率がより向上する。また、照明装置１Ａから壁面９２Ａへ向かう光の水平方向における光度のムラをさらに抑制できる。
【００４３】
また、照明装置１Ａでは、カバー１５Ａの全光線透過率が約８５％である。このように、カバー１５Ａの全光線透過率は、８０％以上であることが好ましい。カバー１５Ａとして透過性の高い拡散板を用いることにより、照射対象である壁面９２Ａにおける光の伸びが良くなる。その結果、照明効率がさらに向上する。以上のように、カバー１５Ａとしては、高透過高拡散の拡散板を用いるのが望ましい。
【００４４】
このように、照明装置１Ａでは、照明効率が高いことから、造作空間８００Ａ内の光が壁面９２Ａへと向かうための光路の断面積を小さくできる。すなわち、造作空間８００Ａの内部と外部との間で光が通過可能な部分であるカバー１５Ａの高さ方向の寸法を小さくできる。したがって、照明装置１Ａを収容する造作８０Ａの上面から天井面９１２Ａまでの高さ方向の寸法を小さくできる。
【００４５】
＜２．第２実施形態／コーブ照明＞
図６は、本発明の第２実施形態に係る照明装置１Ｂの設置例を示した断面図である。照明装置１Ｂは、コーブ照明用の照明装置である。図６に示すように、天井９１Ｂ付近には、造作８０Ｂが、天井９１Ｂから所定の間隔を空けて略水平に延びる。なお、図９および図１０に示す従来の照明装置１Ｘおよび１Ｙを収容する造作８０Ｘ，８０Ｙは遮光部８２Ｘ，８２Ｙを有していたが、この造作８０Ｂには遮光部を有する必要はない。照明装置１Ｂは、天井９１Ｂと造作８０Ｂとに挟まれた造作空間８００Ｂ内に収容される。
【００４６】
照明装置１Ｂは、天井９１Ｂを斜め下方から斜め上方へ向かって照射する。図６中には、照明装置１Ｂが点灯状態になったときの、照明装置１Ｂ外の空間の各位置における明るさの一例をグレースケールにて概念的に示している。
【００４７】
図７は、照明装置１Ｂの断面図である。図８は、照明装置１Ｂの正面図である。図６および図７は、図８中に示したＣ−Ｃ’断面図における矢視断面図である。図８は、図７中に示したＤ−Ｄ’断面から見た正面図である。
【００４８】
図６〜図８に示すように、照明装置１Ｂは、天井９１Ｂに沿って設置され、天井９１Ｂを照らす。照明装置１Ｂは、その長手方向が天井９１Ｂに沿う水平方向となるように配置される。図８では、複数の照明装置１Ｂが長手方向に並んで配置されている様子が示されている。
【００４９】
図７に示すように、照明装置１Ｂは、筐体１１Ｂ、複数のＬＥＤ光源１２Ｂ、反射板１３Ｂおよび電源１４Ｂを有する。なお、照明装置１Ｂに関する方向について、水平方向のカバー１５Ｂ側を前方向、その反対側を後方向として説明する。
【００５０】
筐体１１Ｂは、複数のＬＥＤ光源１２Ｂを内部に収容する。筐体１１Ｂは、前面に、カバー１５Ｂが嵌め込まれる開口２０１Ｂを有する。筐体１１Ｂは、上側カバー保持部材３１Ｂ、下側カバー保持部材３２Ｂ、光源収容部材３３Ｂ、固定部材３４Ｂおよびカバー１５Ｂにより構成される。上側カバー保持部材３１Ｂ、下側カバー保持部材３２Ｂおよび光源収容部材３３Ｂは、筐体１１Ｂの本体部を構成する。筐体１１Ｂの本体部は、筐体１１Ｂの上面、下面、両側面および背面の各外壁を構成する部材である。
【００５１】
上側カバー保持部材３１Ｂは、カバー１５Ｂの上端部を保持する溝部を有する。下側カバー保持部材３２Ｂは、カバー１５Ｂの下端部を保持する溝部を有する。
【００５２】
光源収容部材３３Ｂは、上側カバー保持部材３１Ｂから後方へ延びる上板部３３１Ｂと、下側カバー保持部材３２Ｂから後方へ延びる下板部３３２Ｂと、上板部３３１Ｂの後端部と下板部３３２Ｂの後端部とを上下に繋ぐ底板部３３３Ｂとを有する。また、光源収容部材３３Ｂの長手方向の両端は、側板部３３４Ｂで覆われている。
【００５３】
固定部材３４Ｂは、図７に示すように、断面コ字状の部材である。固定部材３４Ｂは、天井９１Ｂに沿って略水平に配置される第１固定部３４１Ｂと、第１固定部３４１Ｂの前端部から下方へ延びる第２固定部３４２Ｂと、第２固定部３４２Ｂの下端部から後方へ略水平に延びる第３固定部３４３Ｂとを有する。第１固定部３４１Ｂおよび第３固定部３４３Ｂは、ボルト等の固定具により、天井９１Ｂに固定される。第２固定部３４２Ｂは、光源収容部材３３Ｂの底板部３３３Ｂの後面に沿って配置され、ねじ止め等により底板部３３３Ｂと互いに固定される。
【００５４】
ＬＥＤ光源１２Ｂはそれぞれ、筐体１１Ｂの内部空間２０Ｂ内に配置される。具体的には、内部空間２０Ｂの下部に、光源載置板３５Ｂが配置される。そして、この光源載置板３５Ｂ上にＬＥＤ光源１２Ｂが配置される。複数のＬＥＤ光源１２Ｂは、照明装置１Ｂの長手方向に沿って、水平方向に略等間隔に並ぶ。本実施形態では、３ｍｍ角の略正方形状のＬＥＤ光源１２Ｂが、１１ｍｍ間隔で配置されている。また、本実施形態では、ＬＥＤ光源１２Ｂの光軸１２０Ｂは、ＬＥＤ光源１２Ｂからカバー１５Ｂを通り、天井９１Ｂに向かって斜め上方向へと向けて伸びる。本実施形態において、ＬＥＤ光源１２Ｂの光軸１２０Ｂの鉛直方向に対する角度は、約２５°である。
【００５５】
また、各ＬＥＤ光源１２Ｂは、照明装置１Ｂ内において、その光軸１２０Ｂが、ＬＥＤ光源１２Ｂからカバー１５Ｂを通過し、天井９１Ｂに向かって斜め上方向へと向けて伸びる、位置および向きに配置される。このような構成とすることで、照射対象である天井９１Ｂにおける光の伸びが良くなる。したがって、照明効率が向上する。
【００５６】
反射板１３Ｂは、筐体１１Ｂの内部空間２０Ｂ内に配置される。反射板１３Ｂは、ＬＥＤ光源１２Ｂの近傍から、上方かつ前方へ向かって延びる。反射板１３Ｂは、ＬＥＤ光源１２Ｂから照射された光の一部を、カバー１５Ｂ側へ向けて反射する。また、反射板１３Ｂは、ＬＥＤ光源１２Ｂから照射された後に内部空間２０Ｂ内で反射された光の一部を、さらに反射する。
【００５７】
反射板１３Ｂは、その傾きが段階的に変化する。反射板１３Ｂは、その傾きが異なる第１反射部１３１Ｂ、第２反射部１３２Ｂおよび第３反射部１３３Ｂを有する。第１反射部１３１Ｂ、第２反射部１３２Ｂおよび第３反射部１３３Ｂはそれぞれ、平板状である。なお、第１反射部１３１Ｂ、第２反射部１３２Ｂおよび第３反射部１３３Ｂは、平板状に限るものではなく、所望の配光を実現できる限度でカーブしていてもよい。
【００５８】
第１反射部１３１Ｂは、略鉛直に延びる。第１反射部１３１Ｂの下端部は、ＬＥＤ光源１２Ｂの光出射面１２１Ｂの後端部付近に配置される。第２反射部１３２Ｂは、第１反射部１３１Ｂの上端部から上方かつ前方へ延びる。第２反射部１３２Ｂの鉛直方向に対する傾斜角度は、約１５°である。また、第３反射部１３３Ｂは、第２反射部１３２Ｂの上端部から上方かつ前方へ延びる。第３反射部１３３Ｂの上端部は、上側カバー保持部材３１Ｂ付近に配置される。第３反射部１３３Ｂの鉛直方向に対する傾斜角度は、約３０°である。このように、本実施形態の反射板１３Ｂとカバー１５Ｂとのなす角度は、ＬＥＤ光源１２Ｂと反射板１３Ｂとの距離が大きくなるにつれて、大きくなる。
【００５９】
ここで、図８中において、カバー１５Ｂを前方から見た場合のカバー１５Ｂの輝度の大きさをグレースケールで示している。反射板１３Ｂの傾きを段階的に変化させることにより、カバー１５Ｂを前方から見た場合に、下方から上方に向かうにつれてカバー１５Ｂの輝度が次第に小さくなるグラデーションを形成する。すなわち、照明装置１Ｂの下方にいる在室者から見て、カバー１５Ｂの輝度が、在室者の目線からの距離が大きくなるに従って小さくなるグラデーションを形成する。これにより、在室者から照明装置１Ｂが目視できる場合であっても、眩しさ感が抑制されるとともに、在室者から見た照明装置１Ｂの外観の美しさが向上する。
【００６０】
電源１４Ｂは、反射板１３Ｂの後方に配置される。具体的には、電源１４Ｂは、光源収容部材３３Ｂの底板部３３３Ｂの前面側に固定される。電源１４Ｂは、複数のＬＥＤ光源１２Ｂと電気的に接続される。照明装置１Ｂの駆動時には、電源１４Ｂから複数のＬＥＤ光源１２Ｂへ電力が供給される。これにより、各ＬＥＤ光源１２Ｂから光が照射される。
【００６１】
カバー１５Ｂは、筐体１１Ｂの本体部の前面の開口２０１Ｂに嵌め込まれる。これにより、カバー１５Ｂは、照明装置１の正面の外壁を構成する。カバー１５Ｂは、光透過性を有し、かつ、透過光を拡散する拡散板である。照明装置１Ｂは、カバー１５Ｂの前面が、水平方向に対して略垂直となるように配置されるのが望ましい。
【００６２】
照明装置１Ｂでは、ＬＥＤ光源１２Ｂが配置される空間が、カバー１５Ｂで覆われることによって、閉空間となる。また、照明装置１Ｂが、造作空間８００Ｂに収容される。これにより、ＬＥＤ光源１２Ｂの周囲や、造作８０Ｂ上に埃が溜まるのが抑制される。
【００６３】
また、カバー１５Ｂに拡散板を用いることにより、ＬＥＤ光源１２Ｂから照射された光が、カバー１５Ｂにより拡散される。また、ＬＥＤ光源１２Ｂの光軸１２０Ｂは、カバー１５Ｂを通って、照射面である天井９１Ｂに達する方向を向いている。その結果、ＬＥＤ光源１２Ｂから出射される光の内、最も強い光である光軸方向の光が、カバー１５Ｂ以外の部材に当たって弱まることなく、天井９１Ｂに達する。このため、効率よく天井９１Ｂに光を照射でき、かつ、天井９１Ｂにおける光の伸びが良くなる。また、カバー１５Ｂに当たった光は、光軸と異なる向きにも拡散されるので、光軸１２０Ｂの向きと異なる方向についても照明することができる。また、在室者が照明装置１Ｂから照射される光を直接目視した場合であっても、眩しく感じるのを抑制できる。
【００６４】
照明装置１Ｂでは、カバー１５Ｂの前面の法線ベクトルが水平前向きである。ここで、仮に、カバー１５Ｂの前面の法線ベクトルが鉛直上向きであるような場合には、カバー１５Ｂ上に埃が溜まる虞がある。本実施形態では、カバー１５Ｂの前面の法線ベクトルが鉛直上向きでないことにより、カバー１５Ｂ上に埃が溜まるのが抑制されている。
【００６５】
また、カバー１５Ｂの前面の法線ベクトルは、斜め下向きであってもよい。この場合、カバー１５Ｂ上に埃が溜まるのをさらに抑制できる。ただし、カバー１５Ｂの前面の法線ベクトルが斜め下向きである場合、法線ベクトルが水平向きである場合と比べて、在室者により照明装置１Ｂから照射される光を直接目視されやすくなる場合があるので、これを考慮して照明装置１Ｂを配置するのが望ましい。
【００６６】
また、照明装置１Ｂにおける、カバー１５Ｂの拡散性を示すヘーズ値は、約９６％である。このように、カバー１５Ｂのヘーズ値は、８０％以上であることが好ましい。カバー１５Ｂとして拡散性の高い拡散板を用いることにより、ＬＥＤ光源１２Ｂから照射される光を、カバー１５Ｂが効率よく拡散する。したがって、照射対象である天井９１Ｂにおける光の照射範囲を広げることができる。その結果、照明効率が向上する。
【００６７】
また、カバー１５Ｂのヘーズ値が低い場合、複数のＬＥＤ光源１２Ｂが間隔を空けて配置されていることにより、照明装置１Ｂから天井９１Ｂへ向かう光の水平方向における光度のムラが生じる。カバー１５Ｂとして拡散性の高い拡散板を用いることにより、照明装置１Ｂから天井９１Ｂへ向かう光の水平方向における光度のムラを抑制できる。また、ＬＥＤのいわゆる「つぶつぶ感」を抑えた均一な面状発光を実現することができる。
【００６８】
なお、カバー１５Ｂのヘーズ値は、９０％以上であることが、より好ましい。カバー１５Ｂとしてさらに拡散性の高い拡散板を用いることにより、照射対象である壁面９２Ｂにおける光の照射範囲をさらに広げることができる。したがって、照明効率がより向上する。また、照明装置１Ｂから天井９１Ｂへ向かう光の水平方向における光度のムラをさらに抑制できる。
【００６９】
また、照明装置１Ｂでは、カバー１５Ｂの全光線透過率が約８５％である。このように、カバー１５Ｂの全光線透過率は、８０％以上であることが好ましい。このように、カバー１５Ｂとして透過性の高い拡散板を用いることにより、照射対象である壁面９２Ｂにおける光の伸びが良くなる。その結果、照明効率がさらに向上する。以上のように、カバー１５Ｂとしては、高透過高拡散の拡散板を用いるのが望ましい。
【００７０】
図１０に示す従来のコーブ照明用の照明装置１Ｙでは、造作８０Ｙと天井９１Ｙとで挟まれた空間の内部と外部との間で光が通過可能な部分は、遮光部８２Ｙの上端と天井９１Ｙとの間である。このため、造作８０Ｙと天井９１Ｙとで挟まれた空間の内部と外部との間で光が通過可能な部分の高さは、載置部８１Ｙと天井９１Ｙとの間隔よりも小さい。
【００７１】
一方、本実施形態では、造作空間８００Ｂの上下方向のほぼ全域にカバー１５Ｂを配置できる。よって、本実施形態の照明装置１Ｂを設置するための造作空間８００Ｂの高さ方向の寸法を、従来の照明装置１Ｙを設置するための造作８０Ｙと天井９１Ｙとの高さ方向の間隔よりも小さくできる。
【００７２】
さらに、照明装置１Ｂでは、照明効率が高いことから、造作空間８００Ｂ内の光が天井９１Ｂへと向かうための光路の断面積を小さくできる。すなわち、造作空間８００Ｂの内部と外部との間で光が通過可能な部分であるカバー１５Ｂの高さ方向の寸法をさらに小さくできる。
【００７３】
＜３．変形例＞
以上、本発明の主たる実施形態について説明したが、本発明は、上記の実施形態に限定されるものではない。
【００７４】
上記の第１実施形態に係るコーニス照明用の照明装置１Ａは、天井９１Ａ付近に設置され、壁面９２Ａを上方から照射したが、本発明はこれに限られず、コーニス照明用としての効果を奏する位置に配置されれば足りる。例えば、図１１の例のように、壁面を床面付近の下方から照射するものであってもよい。
【００７５】
図１１は、一変形例に係るコーニス照明用の照明装置１Ｃの設置例を示した断面図である。この照明装置１Ｃは、床面９３Ｃ付近に設置され、壁面９２Ｃを下方から上方へ向かって照射する。
【００７６】
また、上記の第１実施形態に係る照明装置１Ａや、変形例に係る照明装置１Ｃでは、造作および照明装置を、壁面の上下方向の端部付近に配置していたが、本発明はこれに限られず、コーニス照明用としての効果を奏する位置に配置されれば足りる。例えば、図１２の例のように、造作および照明装置を、壁面の上下方向のいずれの位置に配置してもよい。
【００７７】
図１２は、他の変形例に係るコーニス照明用の照明装置１Ｄの設置例を示した断面図である。この照明装置１Ｄは、壁面９２Ｄの上下方向の略中央付近に配置された造作空間８００Ｄ内に収容される。このため、この照明装置１Ｄは、壁面９２Ｄを上下方向の略中央付近から下方へ向かって照射する。
【００７８】
また、上記の実施形態および変形例に係る照明装置は、天井および壁面に光を照射するものであったが、本発明はこれに限られない。本発明の照明装置は、図１３の例のように、床面を照射する間接照明装置であってもよい。
【００７９】
図１３は、他の変形例に係る間接照明用の照明装置１Ｅの設置例を示した断面図である。この照明装置１Ｅは、床面９３Ｅに沿って設置され、床面９３Ｅを照射する足元間接照明用の照明装置である。
【００８０】
また、上記の実施形態では、光源としてＬＥＤ光源を用いているが、本発明はこれに限られない。光源として蛍光灯等の他の光源を用いてもよい。また、上記の実施形態では、複数のＬＥＤ光源を１列に配置しているが、本発明は、これに限られない。複数のＬＥＤ光源を複数列に配置してもよい。また、複数のＬＥＤ光源を、２列に、数個ずつ互い違いに配置してもよい。また、上記の実施形態で示したＬＥＤ光源の大きさ、配置間隔は、一例であり、これに限られるものではない。
【００８１】
また、上記の各実施形態や変形例に登場した各要素を、矛盾が生じない範囲で、任意に組み合わせてもよい。
【符号の説明】
【００８２】
１Ａ，１Ｂ，１Ｃ，１Ｄ，１Ｅ，１Ｘ，１Ｙ  照明装置
１１Ａ，１１Ｂ  筐体
１２，１２Ａ，１２Ｂ  ＬＥＤ光源
１２Ｘ，１２Ｙ  光源
１３Ａ，１３Ｂ  反射板
１５Ａ，１５Ｂ  カバー
２０Ａ，２０Ｂ  内部空間
８０Ａ，８０Ｂ，８０Ｘ，８０Ｙ  造作
９１Ａ，９１Ｂ，９１Ｘ，９１Ｙ  天井
９２Ａ，９２Ｂ，９２Ｃ，９２Ｄ，９２Ｘ  壁面
９３Ｃ，９３Ｅ  床面
１２０Ａ，１２０Ｂ  光軸
２０１Ｂ  開口
【図１】
2017152287.tif 000003
【図２】
2017152287.tif 000004
【図３】
2017152287.tif 000005
【図４】
2017152287.tif 000006
【図５】
2017152287.tif 000007
【図６】
2017152287.tif 000008
【図７】
2017152287.tif 000009
【図８】
2017152287.tif 000010
【図９】
2017152287.tif 000011
【図１０】
2017152287.tif 000012
【図１１】
2017152287.tif 000013
【図１２】
2017152287.tif 000014
【図１３】
2017152287.tif 000015
【手続補正書】
【提出日】平成29年5月30日(2017.5.30)
【手続補正１】
【補正対象書類名】特許請求の範囲
【補正対象項目名】全文
【補正方法】変更
【補正の内容】
【特許請求の範囲】
【請求項１】
間接照明用の照明装置であって、
光源と、
前記光源を内部に収容する内部空間を有する筐体と、
を備え、
前記筐体を構成する外壁の少なくとも一部が、光透過性を有する拡散板で構成され、
前記光源は、前記光源の光軸が前記拡散板を斜めに通るよう配されており、
前記照明装置は、造作空間に、前記拡散板が前記造作空間の上下方向に配置されるよう収容される
照明装置。
【請求項２】
前記拡散板のヘーズ値は、８０％以上であり、
前記拡散板は、前記光源から出射される光が直接または間接に入射された場合に、前記入射された角度と異なる角度に拡散する、
請求項１記載の照明装置。
【請求項３】
前記照明装置は、自装置外部の壁面に光を照射し、
前記拡散板は、前記壁面と対向して配置され、
前記光軸は、前記光源から斜め上方または斜め下方へ向けて伸びる、
請求項１または請求項２記載の照明装置。
【請求項４】
前記照明装置は、自装置外部の天井に光を照射し、
前記拡散板は、前記天井に対して略垂直に配置され、
前記光軸は、前記光源から斜め上方へ向けて伸びる、
請求項１または請求項２記載の照明装置。
【請求項５】
前記照明装置は、
前記内部空間内に配置される反射板をさらに有し、
前記反射板は、前記光源の前記光軸に対して略平行に配置される、
請求項１ないし請求項４のいずれか１項記載の照明装置。